(57)【要約】      （修正有）【課題】普通の紙、グラム数が比較的大きい紙、グラム数が比較的小さい紙に対して、それぞれ有効にスキャンを行うことができるスキャニングデバイスを提供する。【解決手段】スキャニングデバイスは上蓋と紙セパレートモジュールを有する。上蓋の中央部には取り付け凹槽を陥没状に設置する。紙セパレートモジュールは、取り付け凹槽内に取り外し可能に取り付けられ、固定シート、紙セパレートローラーセットとトルクリミッターを有する。紙セパレートローラーセットは、ローラー軸、ローラーシートと少なくとも１個のローラーを有する。ローラー軸の両端は固定シートの両側に固定して設置され、ローラーシートはローラー軸上に回転可能なように嵌めて設置される。ローラーはローラーシート上に嵌めて設置される。トルクリミッターは、ローラー軸上の、ローラーシートの片側に固定して嵌めて設置され、ローラーシートと係合して接続する。紙セパレートモジュール内にはトルクの大きさが異なるトルクリミッターを取り付けできる。【選択図】図５
0003209596.tif 000002
【実用新案登録請求の範囲】
【請求項１】
スキャニングデバイスであって、上蓋、紙セパレートモジュールを有し、
前記上蓋は中央部に、取り付け凹槽を陥没状に設置し、
前記紙セパレートモジュールは、取り付け凹槽内に取り外し可能なように取り付け、固定シート、紙セパレートローラーセット、トルクリミッター、封鎖蓋を有し、
前記紙セパレートローラーセットは、紙セパレートローラー軸、紙セパレートローラーシートと少なくとも１個の紙セパレートローラーを有し、
前記紙セパレートローラー軸の両端は、固定シートの両側に固定して設置され、前記紙セパレートローラーシートは、紙セパレートローラー軸上に回転可能なように嵌めて設置され、前記紙セパレートローラーは、紙セパレートローラーシート上に嵌めて設置され、
前記トルクリミッターは、前記紙セパレートローラー軸上の、紙セパレートローラーシートの片側に固定して嵌めて設置され、前記紙セパレートローラーシートと係合して接続し、
前記封鎖蓋は、前記固定シートの下端に固定して設置され、中央部には、少なくとも１個の開孔を開設し、
前記紙セパレートローラーは、開孔内に収容され、前記紙セパレートローラーの下端は、封鎖蓋の下表面に突出することを特徴とするスキャニングデバイス。
【請求項２】
前記固定シートは、固定フレームとサポートフレームを有し、
前記固定フレームは、開口が下向きの第一収容槽を有し、
前記サポートフレームは、開口が下向きの第二収容槽を有し、前記サポートフレームは、第一収容槽内に収容され、前記サポートフレームの後端は、固定フレーム上に枢接され、
前記紙セパレートローラーセットは、第二収容槽内に収容され、前記紙セパレートローラー軸の両端は、サポートフレームの両側に固定して設置され、前記封鎖蓋は、固定フレームの下端に固定して設置されることを特徴とする請求項１に記載のスキャニングデバイス。
【請求項３】
前記固定フレームは、頂板、前記頂板後端縁から下方へと突出する後板、前記頂板片側から下方へと突出する側板を有し、
前記頂板、前記後板と前記側板は取り囲んで、前記第一収容槽を形成し、
前記後板上には、側板と平行に延伸する末端が後板下表面を超過する２個の固定保持板を間隔を開けて突出状に設置し、２個の固定保持板上には、それぞれ係合槽を開設し、
前記サポートフレームの後部には、第二収容槽と連通する開槽を開設し、前記開槽の両側壁には、凸柱をそれぞれ相対して突出状に設置して形成し、前記２個の凸柱は、それぞれ係合槽内に枢接されることを特徴とする請求項２に記載のスキャニングデバイス。
【請求項４】
前記頂板上開には、横方向に配列する複数の位置制限孔を開設し、
前記サポートフレームの頂面には、横方向に配列する複数の位置制限係合フックを突出状に設置し、
前記各位置制限係合フックは、位置制限孔内にそれぞれ係合して設置されることを特徴とする請求項３に記載のスキャニングデバイス。
【請求項５】
前記封鎖蓋の両端には共に、取り付け係合フックを設置し、
前記上蓋の取り付け凹槽内の両側には、取り付け係合孔を開設し、
前記２個の取り付け係合フックは、対応する取り付け係合孔内にそれぞれ係合して設置されることを特徴とする請求項１に記載のスキャニングデバイス。
【請求項６】
前記紙セパレートローラーシート上には、横方向に配列する２個の紙セパレートローラーを嵌めて設置し、
前記封鎖蓋の中央部には、横方向に配列する２個の開孔を開設し、
前記２個の紙セパレートローラーの下端は共に、開孔内に収容されることを特徴とする請求項１に記載のスキャニングデバイス。
【請求項７】
前記紙セパレートモジュールは、ガイドパーツをさらに有し、
前記ガイドパーツは、封鎖蓋前端に固定して設置され、横方向延伸を呈する固定板、前記固定板の下端縁から後方へと湾折して延伸する導引板を有し、
前記導引板は、紙セパレートローラーの前下方まで延伸することを特徴とする請求項１に記載のスキャニングデバイス。
【請求項８】
前記紙セパレートモジュールは、少なくとも１個のラバーパッドをさらに有し、
前記封鎖蓋前端の下表面の、紙セパレートローラーの前方に固定して設置することを特徴とする請求項１に記載のスキャニングデバイス。
【請求項９】
前記紙セパレートモジュール内のトルクリミッターは、異なる大きさのトルクを備えることを特徴とする請求項１に記載のスキャニングデバイス。
【考案の詳細な説明】
【技術分野】
【０００１】
本考案はスキャニングデバイスに関し、特に異なるグラム数の紙に対して有効にスキャンできるスキャニングデバイスに関する。
【背景技術】
【０００２】
従来のスキャニングデバイスは、上蓋、封鎖蓋、トルクリミッターと紙セパレートローラーセットを有する。上蓋の中央部には、取り付け凹槽を陥没状に設置する。トルクリミッターは、上蓋上に固定して設置し、トルクリミッターの一端は、取り付け凹槽内に進入する。紙セパレートローラーセットは、紙セパレートローラー軸、紙セパレートローラーシートと紙セパレートローラーを有する。紙セパレートローラー軸は、取り付け凹槽内に取り付けられ、紙セパレートローラー軸の一端は、上蓋上に固定して設置し、紙セパレートローラー軸の反対端とトルクリミッターとは係合接続する。紙セパレートローラーシートは、紙セパレートローラー軸上に回転可能なように嵌めて設置される。紙セパレートローラーは、紙セパレートローラーシート上に嵌めて設置される。封鎖蓋上には、開孔を開設する。封鎖蓋は、上蓋上の取り付け凹槽外に取り外し可能なように固定して設置される。封鎖蓋を上蓋上に取り付け後、紙セパレートローラーの下端は、開孔位置から封鎖蓋の下表面へと突出する。
【０００３】
従来のスキャニングデバイスは、紙セパレートローラーが磨損を受けた後は、封鎖蓋を取り外し、紙セパレートローラー軸を取り出し、紙セパレートローラーを交換することができる。トルクリミッターは、上蓋上に固定されるため、交換ができない。それによって、従来のスキャニングデバイスは、異なるグラム数、即ち異なる厚みの紙をスキャンする時、トルクの大きさを調節できない。比較の厚い紙をスキャンする時、トルク不足により紙詰まりが起きる。比較の薄い紙をスキャンする時、トルク過大により、紙の破損を招き、しかもスキャン画像の質が悪くなる。
よって、異なるグラム数の紙に対して有効にスキャンできるスキャニングデバイスが求められている。
【考案の概要】
【考案が解決しようとする課題】
【０００４】
本考案の目的は、従来技術に存在する欠点及び不足点に対して、異なるグラム数の紙に対して有効にスキャンできるスキャニングデバイスを提供することにある。
【課題を解決するための手段】
【０００５】
上述の目的を実現するために、本考案によるスキャニングデバイスは、上蓋と取り外し交換可能な紙セパレートモジュールを有する。該上蓋の中央部には、取り付け凹槽を陥没状に設置する。該紙セパレートモジュールは、取り付け凹槽内に取り外し可能なように取り付けられる。該各紙セパレートモジュールは共に、固定シート、紙セパレートローラーセット、トルクリミッターと封鎖蓋を有する。該紙セパレートローラーセットは、紙セパレートローラー軸、紙セパレートローラーシートと少なくとも１個の紙セパレートローラーを有する。該紙セパレートローラー軸の両端は、固定シートの両側に固定して設置され、該紙セパレートローラーシートは、紙セパレートローラー軸上に回転可能なように嵌めて設置される。該紙セパレートローラーは、紙セパレートローラーシート上に嵌めて設置される。該トルクリミッターは、紙セパレートローラー軸上の、紙セパレートローラーシートの片側に固定して嵌めて設置され、紙セパレートローラーシートと係合して接続する。該紙セパレートモジュール内は、トルクの大きさが異なるトルクリミッターを取り付けできる。該封鎖蓋は、固定シートの下端に固定して設置し、中央部には、少なくとも１個の開孔を開設する。該紙セパレートローラーは、開孔内に収容され、紙セパレートローラーの下端は、封鎖蓋の下表面に突出する。
【考案の効果】
【０００６】
本考案スキャニングデバイスは、紙セパレートモジュールにより、取り付け凹槽内に取り外し可能なように取り付けられる。普通の紙、グラム数が比較的大きい紙、グラム数が比較的小さい紙に対して、スキャンを行う時には、異なるトルクの紙セパレートモジュールに交換するだけで、普通の紙、グラム数が比較的大きい紙、グラム数が比較的小さい紙に対してそれぞれ有効にスキャンを行うことができる。
【図面の簡単な説明】
【０００７】
【図１】本考案スキャニングデバイスの実施形態の立体図である。
【図２】図１に示すスキャニングデバイスの別種の角度の立体図である。
【図３】本考案スキャニングデバイスの上蓋の立体図である。
【図４】図１に示すスキャニングデバイスの紙セパレートモジュールの立体図である。
【図５】図４に示す紙セパレートモジュールの立体分解図である。
【図６】図４に示す紙セパレートモジュールの別種の角度の立体図である。
【図７】図６に示す紙セパレートモジュールの別種の角度の立体分解図である。
【考案を実施するための形態】
【０００８】
以下に本考案の技術内容、構造特徴、達成する目的及び作用効果について、以下に例を挙げ並びに図面を組み合わせて詳細に説明する。
【０００９】
図１に示す通り、本考案スキャニングデバイス１００は、上蓋１０と取り外し交換可能な紙セパレートモジュール２０を有する。
【００１０】
図３に示す通り、上蓋１０の中央部には、取り付け凹槽１１を陥没状に設置する。上蓋１０の取り付け凹槽１１内の両側には、取り付け係合孔１２を開設する。
【００１１】
図５に示す通り、紙セパレートモジュール２０は、固定シート２１、紙セパレートローラーセット２２、トルクリミッター２３、封鎖蓋２４、ガイドパーツ２５と少なくとも１個のラバーパッド２６を有する。紙セパレートモジュール２０は、トルクの大きさが異なるトルクリミッター２３を取り付けできる。本実施形態では、紙セパレートモジュール２０は、２個のラバーパッド２６を有する。
【００１２】
図５と図７に示す通り、固定シート２１は、固定フレーム３１とサポートフレーム３２を有する。固定フレーム３１は、開口が下向きの第一収容槽３１４を有する。具体的には、固定フレーム３１は、頂板３１１、頂板３１１後端縁から下方へと突出する後板３１２、頂板３１１片側から下方へと突出する側板３１３を有する。頂板３１１、後板３１２と側板３１３は取り囲んで、第一収容槽３１４を形成する。頂板３１１上には、横方向に配列する複数の位置制限孔３１５を開設する。後板３１２上には、側板３１１と平行に延伸する末端が後板下表面を超過する２個の固定保持板を間隔を開けて突出状に設置する。２個の固定保持板３１６上には、それぞれ係合槽３１７を開設する。
【００１３】
サポートフレーム３２は、開口が下向きの第二収容槽３２１を有する。サポートフレーム３２の後端には、横方向に配列する２個の凸柱３２３を突出状に設置する。具体的には、サポートフレームの３２後部には、第二収容槽３２１と連通する開槽３２２を開設する。２個の凸柱３２３は、開槽３２２の両側壁から、それぞれ相対して突出状に設置して形成される。サポートフレーム３２の頂面には、横方向に配列する複数の位置制限係合フック３２４を突出状に設置する。
【００１４】
図５に示す通り、紙セパレートローラーセット２２は、紙セパレートローラー軸２２１、紙セパレートローラーシート２２２、及び紙セパレートローラーシート２２２上に嵌めて設置する少なくとも１個の紙セパレートローラー２２３を有する。本実施形態では、紙セパレートローラーシート２２２上には、横方向に配列する２個の紙セパレートローラー２２３を嵌めて設置する。
【００１５】
封鎖蓋２４の中央部には、少なくとも１個の開孔２４１を開設する。封鎖蓋２４の両端には共に、取り付け係合フック２４２を設置する。本実施形態では、封鎖蓋２４の中央部には、横方向に配列する２個の開孔２４１を開設する。
【００１６】
図５と図７に示す通り、ガイドパーツ２５は、横方向延伸を呈する固定板２５１と固定板２５１の下端縁から後方へと湾折して延伸する導引板２５２を有する。ガイドパーツ２５上には、横方向に配列する２個の収容孔２５３を開設する。２個の収容孔２５３は、横方向に配列し、固定板２５１と導引板２５２との連接位置に開設される。
【００１７】
図１〜図７に示す通り、本考案スキャニングデバイス１００の組み立て時には、サポートフレーム３２は、第一収容槽３１４内に収容される。サポートフレーム３２の後端は、固定フレーム３１上に枢接される。具体的には、２個の凸柱３２３は、それぞれ係合槽３１７内に枢接される。各位置制限係合フック３２４は、位置制限孔３１５内にそれぞれ係合して設置される。
【００１８】
紙セパレートローラーセット２２は、第二収容槽３２１内に収容される。紙セパレートローラー軸２２１の両端は、固定シート２１のサポートフレーム３２の両側に固定して設置される。紙セパレートローラーシート２２２は、紙セパレートローラー軸２２１上に回転可能なように嵌めて設置する。トルクリミッター２３は、紙セパレートローラー軸２２１上に固定して嵌めて設置する。紙セパレートローラーシート２２２の片側は、紙セパレートローラーシート２２２と係合して接続する。
【００１９】
封鎖蓋２４は、固定シート２１の固定フレーム３１の下端に固定して設置される。２個の取り付け係合フック２４２は、対応する取り付け係合孔１２内にそれぞれ係合して設置し、これにより紙セパレートモジュール２０は、上蓋１０の取り付け凹槽１１内に取り外し可能なように取り付けられる。２個の紙セパレートローラー２２３の下端は共に、開孔２４１内に収容され、しかも２個の紙セパレートローラー２２３の下端は共に、封鎖蓋２４の下表面に突出する。
【００２０】
ガイドパーツ２５の固定保持板２５１は、封鎖蓋２４の前端に固定して設置される。導引板２５２は、紙セパレートローラー２２３の前下方まで延伸する。２個のラバーパッド２６は、それぞれ横方向配列を呈し、封鎖蓋２４前端の下表面の、紙セパレートローラー２２３の前方に固定して設置される。しかも、２個のラバーパッド２６は、収容孔２５３内にそれぞれ収容される。２個のラバーパッド２６は、スキャンを待つ紙（図示なし）に対してプレセパレートを行う。
【００２１】
上記したように、本考案スキャニングデバイス１００は、紙セパレートモジュール２０により、取り付け凹槽１１内に取り外し可能なように取り付けられる。普通の紙、グラム数が比較的大きい紙、グラム数が比較的小さい紙に対して、スキャンを行う時には、異なるトルクのトルクリミッター２３を有する紙セパレートモジュール２０に交換するだけで、普通の紙、グラム数が比較的大きい紙、グラム数が比較的小さい紙に対してそれぞれ有効にスキャンを行うことができる。
【符号の説明】
【００２２】
１００  スキャニングデバイス
１０  上蓋
１１  取り付け凹槽
１２  取り付け係合孔
２０  紙セパレートモジュール
２１  固定シート
２２  紙セパレートローラーセット
２２１  紙セパレートローラー軸
２２２  紙セパレートローラーシート
２２３  紙セパレートローラー
２３  トルクリミッター
２４  封鎖蓋
２４１  開孔
２４２  取り付け係合フック
２５  ガイドパーツ
２５１  固定板
２５２  導引板
２５３  収容孔
２６  ラバーパッド
３１  固定フレーム
３１１  頂板
３１２  後板
３１３  側板
３１４  第一収容槽
３１５  位置制限孔
３１６  固定保持板
３１７  係合槽
３２  サポートフレーム
３２１  第二収容槽
３２２  開槽
３２３  凸柱
３２４  位置制限係合フック
【図１】
0003209596.tif 000003
【図２】
0003209596.tif 000004
【図３】
0003209596.tif 000005
【図４】
0003209596.tif 000006
【図５】
0003209596.tif 000007
【図６】
0003209596.tif 000008
【図７】
0003209596.tif 000009